(57)【要約】[要約][課題][解決手段]原料全体に研磨粒を均等に衝突させて効率のよい磨砕が行える再生骨材の磨砕装置および生産プラントを提供すること。[解決手段]回転による遠心力で研磨粒Ｂを放出するブラストロータ２０と、ブラストロータ２０を回転可能に収容する回転選別機３０とを具備し、前記回転選別機３０内に滞留する原料Ａへ向けてブラストロータ２０から研磨粒Ｂを放出して粒状物質の原料をショットブラストするようにした。
2014041586.tif 000002
【特許請求の範囲】
【請求項１】
粒状物質を含む原料から粒状物質を生産する粒状物質の磨砕装置であって、
回転による遠心力で研磨粒を放出するブラストロータと、
前記ブラストロータを回転可能に収容する回転選別機と、
前記回転選別機内へ粒状物質を含む原料を供給する原料供給系統と、
前記ブラストロータへ研磨粒を供給する研磨粒供給系統とを具備し、
前記回転選別機内に滞留する粒状物質の原料へ向けてブラストロータから研磨粒を放出してショットブラストすることを特徴とする、
粒状物質の磨砕装置。
【請求項２】
請求項１において、還流系統をさらに含み、該還流系統を通じて前記回転選別機で選別した粒状物質の一部を研磨粒として前記研磨粒供給系統へ供給することを特徴とする、粒状物質の磨砕装置。
【請求項３】
請求項１または２において、集塵機をさらに含み、該集塵機により回転選別機内に舞う微粉や粉塵等の浮遊物を吸引回収することを特徴とする、粒状物質の磨砕装置。
【請求項４】
請求項１乃至３の何れか一項において、前記ブラストロータが回転選別機内の限定された効果的範囲に位置する粒状物質を含む原料へ向けて研磨粒を放出し得るように、ブラストロータ内に案内した管の終端部の側面に形成した部分放出口を通じて、研磨粒をブラストロータ内に放出するように構成したことを特徴とする、粒状物質の磨砕装置。
【請求項５】
粒状物質を含む原料から粒状物質を生産する粒状物質の生産プラントであって、
前記請求項１乃至請求項４の何れか一項に記載の粒状物質の磨砕装置に隣接して再生骨材の選別装置を配置したことを特徴とする、
粒状物質の生産プラント。
【請求項６】
請求項５において、前記選別装置が回転選別機であることを特徴とする、粒状物質の生産プラント。
【請求項７】
請求項５において、前記選別装置が集塵機をさらに含み、該集塵機により選別装置内に舞う微粉や粉塵等の浮遊物を吸引回収することを特徴とする、粒状物質の生産プラント。
【発明の詳細な説明】
【技術分野】
【０００１】
本発明はショットブラストにより各種骨材や土壌等の粒状物質を磨砕する粒状物質の磨砕装置および粒状物質の生産プラントに関するものである。
【背景技術】
【０００２】
近年、各種コンクリート構造物の解体に伴い発生するおびただしい量のコンクリート廃材の処理が問題となっている。
コンクリート廃材を破砕処理して内部に含む粒状物質である粗骨材や細骨材といった骨材を取出したものを再生骨材として利用している。【０００３】
コンクリート廃材をただ単に破砕しただけでは、骨材表面にモルタル成分等の付着物が残置する。付着物が残留したままの状態で再生骨材を使用するとコンクリートの品質が悪くなるため、付着物はできるかぎり除去しなければならない。【０００４】
付着物を除去する方法としてはつぎの方式が知られている。
＜ａ＞遠心破砕機を用いて数回に亘り破砕を繰り返す「再破砕方式」（特許文献１）。
＜ｂ＞縦型又は横型の二重回転ドラムの周面間に供給したコンクリートガラを強圧下で機械的に擦りもみ加工を行なう「擦りもみ方式」（特許文献２）。
＜ｃ＞ドラム内を複数の回転仕切板で仕切って複数の磨砕室を形成し、各磨砕室に装填した金属ボールにより骨材を磨砕する「ボールミル方式」（特許文献３）。
＜ｄ＞落下させた骨材に研磨粒を衝突させる「ショットブラスト方式」（特許文献４）。
【先行技術文献】
【特許文献】
【０００５】
【特許文献１】特開２００８−２６６１０９号公報
【特許文献２】特開２００８−４４７９９号公報
【特許文献３】特開２００３−１０７１１号公報
【特許文献４】特開２０１１−１１１３４２号公報
【発明の概要】
【発明が解決しようとする課題】
【０００６】
従来の粒状物質の製造技術にはつぎのような問題点があった。
＜１＞特許文献１の再破砕方式にあっては、骨材同士の繰り返しの衝突に伴い骨材が割れてしまい、５ｍｍ以上の再生骨材の回収率が極端に悪くなるだけでなく、粉砕された骨材が粉状廃棄物となって大量に発生するといった問題点がある。
＜２＞特許文献２，３の方式にあっては、破砕作用および磨砕作用が小さいために付着物の除去にきわめて多くの時間がかかる。
＜３＞特許文献４のショットブラスト方式は、骨材の破損を防止できるものの、研磨粒の衝突が短い区間（時間）に限られるため、落下中の骨材全体に研磨粒を均等に衝突させることが技術的に難しい。【０００７】
本発明は以上の点に鑑みて成されたもので、その目的とするところは少なくともつぎのひとつの粒状物質の磨砕装置および粒状物質の生産プラントを提供することにある。
＜１＞粒状物質全体に研磨粒を均等に衝突させて効率のよい磨砕が行えること。
＜２＞一部の粒状物質を研磨粒として有効活用すること。
＜３＞研磨粒が最終的に磨かれて良質の再生砂として回収できること。
【課題を解決するための手段】
【０００８】
本発明は、粒状物質を含む原料から粒状物質を生産する粒状物質の磨砕装置であって、回転による遠心力で研磨粒を放出するブラストロータと、前記ブラストロータを回転可能に収容する回転選別機と、前記回転選別機内へ粒状物質を含む原料を供給する原料供給系統と、前記ブラストロータへ研磨粒を供給する研磨粒供給系統とを具備し、前記回転選別機内に滞留する粒状物質の原料へ向けてブラストロータから研磨粒を放出してショットブラストすることを特徴とする。
本発明では、還流系統をさらに含み、該還流系統を通じて前記回転選別機で選別した粒状物質の一部を研磨粒として前記研磨粒供給系統へ供給するように構成してもよい。
さらに本発明では、集塵機をさらに含み、該集塵機により回転選別機内に舞う微粉や粉塵等の浮遊物を吸引回収するように構成してもよい。
さらに本発明では、前記ブラストロータが回転選別機内の限定された効果的範囲に位置する粒状物質を含む原料へ向けて研磨粒を放出し得るように、ブラストロータ内に案内した管の終端部の側面に形成した部分放出口を通じて、研磨粒をブラストロータ内に放出するように構成してもよい。
さらに本発明は、粒状物質を含む原料から粒状物質を生産する粒状物質の生産プラントであって、前記した何れかの粒状物質の磨砕装置に隣接して再生骨材の選別装置を配置したことを特徴とする。
さらに本発明では、選別装置が集塵機をさらに含み、該集塵機により選別装置内に舞う微粉や粉塵等の浮遊物を吸引回収するように構成してもよい。
【発明の効果】
【０００９】
本発明は少なくともつぎのひとつの効果を奏する。
＜１＞ブラストロータと回転選別機とを組み合わせることで、回転選別機内で層状に広がって滞留する粒状物質全体へ向けて研磨粒を均等に衝突させることができるので効率のよい磨砕を行ができる。
＜２＞磨砕装置で分離した粒状物質の一部を、還流系統を通じて還流して研磨粒として有効に活用することができる。
＜３＞研磨粒が最終的に磨かれて良質の再生砂として回収できる。
＜４＞粒状物質が再生骨材である場合には、原料同士を高速で衝突し合えば骨材そのものが破砕して小片化する確率が高くなるが、本発明では質量（径）の小さな研磨粒を質量（径）の大きな原料に衝突させるので、再生骨材が必要以上に破砕されない。
したがって、５ｍｍ以上の再生骨材の生産効率が向上するとともに、再生骨材の粉状化を回避して粉状廃棄物の大量発生の問題を回避できる。
＜５＞骨材や土壌等の粒状物質が汚染されている場合であっても、表面に付着した汚染物質を磨砕により除去して効率よく除染することができる。
＜６＞選別装置または磨砕装置に集塵機を付設することで、選別装置または磨砕装置内に舞う微粉や粉塵、或いは汚染物質等の浮遊物を効率よく吸引して回収することができる。
【図面の簡単な説明】
【００１０】
【図１】本発明に係る粒状物質の生産プラントのモデル図
【図２】磨砕装置の横断面図
【図３】ブラストロータの縦断面図
【図４】図４におけるＩＶ−ＩＶの断面図
【図５】選別装置の横断面図
【図６】研磨粒によりショットブラスト作用の説明図
【発明を実施するための形態】
【００１１】
［実施形態１］
以下に図面を参照しながら本発明の実施形態１について詳しく説明する。
本例では粒状物質が骨材であり、骨材を含む原料から再生骨材を生産する形態について説明する。
【００１２】
＜１＞粒状物質の生産プラントの概要
図１を参照して説明すると、粒状物質の生産プラントは、骨材を含む原料Ａから再生骨材を生産する磨砕装置１０と、該磨砕装置１０に隣接して設け、再生骨材を粒径に応じて選別する選別装置５０とを具備する。
【００１３】
再生骨材の生産に使用する原料Ａは、各種の現場で発生したコンクリート廃材やアスファルトを公知の破砕機で以って１００ｍｍ以下（好ましくは４０ｍｍ〜０ｍｍ）のサイズに破砕したもので、粗骨材や細骨材の表面にモルタル等の付着物が付着している。
以降に主要な装置について詳述する。
【００１４】
＜２＞磨砕装置
磨砕装置１０は骨材を破壊せずに表面に付着したモルタル等の付着物をショットブラストにより除去する装置で、横向きの回転軸を中心に一方向に回転するブラストロータ２０と、内部に該ブラストロータ２０を収容し、横向きの仮想の回転軸を中心にブラストロータ２０と逆方向、または同一方向に回転する筒状の回転選別機３０と、これらを覆うカバー４０とを具備する。
また、図１ではブラストロータ２０および回転選別機３０が水平回転をする場合について図示するが、ブラストロータ２０および回転選別機３０は水平に対して多少傾いて回転する場合も含む。
【００１５】
図１，２に示すように、ブラストロータ２０の回転中心Ｏ2は、回転選別機３０の回転中心Ｏ1に対して上方に偏心して配設してある。
ブラストロータ２０の回転中心Ｏ2を偏心させたのは、回転選別機３０の下方の磨砕空間Ｓをより広く確保するためである。
なお、ブラストロータ２０と回転選別機３０の径差が大きいときは、両者２０，３０を偏心させずに同一線上に配置してもよい。
【００１６】
＜２．１＞ブラストロータ
ブラストロータ２０は遠心力により硬質の研磨粒Ｂを放出する横型の回転ドラムである。
図３，４を参照して説明すると、ブラストロータ２０は、基板２１及び天板２２と、それらの周縁部を連結する周板２３とで包囲してドラム状に形成してあり、例えば公知の遠心破砕機を構成する回転ロータで代用することも可能である。
【００１７】
天板２２の中央には回転軸２４が固着してあり、図外の駆動源（モータ等）の回転を受けて回転軸２４が回転することでブラストロータ２０が一体に回転する。
【００１８】
ブラストロータ２０はその天板２２の中央に供給口２５を形成しており、該供給口２５に研磨粒供給系統Ｌ2を構成する固定式の管１３の終端が案内されている。
研磨粒Ｂは、管１３を通じてブラストロータ２０の内部へ供給し、ブラストロータ２０の回転遠心力を受けた研磨粒Ｂがブラストロータ２０の周面に形成した複数の放出口２６を通じて外方へ高速で放出し得るようになっている。
【００１９】
図２に示すように回転選別機３０内の限定された効果的範囲θに位置する原料Ａへ向けて研磨粒Ｂを放出し得るように構成すると、ショットブラストのロスを回避するとともに、回転選別機３０の損傷を回避できる。
【００２０】
回転選別機３０の限定された効果的範囲θだけ研磨粒Ｂを放出するには、例えば図３，４に示すように、ブラストロータ２０内に案内した管１３の終端部の側面に形成した部分放出口１４を通じて、研磨粒Ｂをブラストロータ２０内に放出することで可能である。
部分放出口１４の開度を適宜選択することで、ブラストロータ２０の周面に形成した複数の放出口２６を通じて回転選別機３０内に位置する原料Ａへ向けた研磨粒Ｂの放出範囲を調整することができる。
【００２１】
なお、限定された効果的範囲θは、図２で例示した回転選別機３０内の下半に限定されるものではなく、適宜その範囲を設定することができる。またブラストロータ２０は、３６０度の範囲で研磨粒Ｂを放出するように構成してもよい。
【００２２】
＜２．２＞回転選別機
図１，２を参照して説明すると、回転選別機３０はブラストロータ２０と協働して原料Ａを磨砕しながら選別するための装置で、周面が開口構造を呈する両端開放型の回転筒３１と、該回転筒３１を回転駆動する駆動手段とを具備していて、例えば公知のトロンメルを使用することができる。
図外のモータの駆動を受けて回転するローラ３２が横置きした回転筒３１の両側外周を支持していて、回転筒３１はローラ３の駆動を受けて横向きの仮想の回転軸を中心に一方向または正逆方向へ回転する。
回転筒３１の周面には、例えば５ｍｍの開口群を形成していて、回転筒３１内へ投入した原料Ａの篩い分けが行えるようになっている。すなわち、回転筒３１は５ｍｍより小さいサイズの原料Ａと研磨粒Ｂを透過し、５ｍｍより大きいサイズの原料Ａを残留する。
【００２３】
＜２．３＞カバー
ブラストロータ２０を収容した回転選別機３０の外方は、カバー４０で覆われていて、外部へ原料Ａや研磨粒Ｂが飛散するのを防止している。
回転選別機３０の下方には、カバー４０の一部を漏斗状に形成して捕集ホッパ４１を形成している。
なお、カバー４０は必須ではなく、省略される場合がある。
【００２４】
＜３＞選別装置
図１と図５を参照して説明すると、選別装置５０は磨砕装置１０で製造した再生骨材をサイズ別に選別する装置で、磨砕装置１０に隣接して設けた回転選別機６０と、回転選別機６０を覆うカバー７０と、回転選別機６０内に発生する粉塵を吸引回収する集塵機８０とを具備する。
【００２５】
本例では筒状の回転選別機６０で以て骨材をサイズ別に選別する場合について説明するが、回転選別機６０に替えて振動スクリーンやエアー分級装置等の公知の選別装置を適用してもよい。
【００２６】
＜３．１＞回転選別機
回転選別機６０は再生骨材をサイズ毎に選別するための装置で、周面が開口構造を呈する両端開放型の回転筒６１と、該回転筒６１を回転駆動する駆動手段とを具備していて、例えば公知のトロンメルを使用することができる。
図外のモータの駆動を受けて回転するローラ６２が横置きした回転筒６１の両側外周を支持していて、回転筒６１はローラ６２の駆動を受けて横向きの仮想の回転軸を中心に一方向へ回転する。
【００２７】
回転筒６１の周面には、複数種類の寸法の異なる開口群を形成していて、回転筒６１内へ投入した再生骨材を所定の寸法範囲で篩い分けが行えるようになっている。
すなわち、回転筒６１の周面の目合い寸法が選別装置５０に近い側から離れる側へ向けて段階的に大きくなるように形成してある。本例では、例えば回転筒６１には細粒サイズ（１３ｍｍ〜５ｍｍ）エリアＥ1、中粒サイズ（２０ｍｍ〜１３ｍｍ）エリアＥ2、および粗粒サイズ（４０ｍｍ〜２０ｍｍ）エリアＥ3の三つの選別エリアを形成しているが、これらの選別エリア数は適宜選択して決定する。
【００２８】
＜３．２＞カバー
回転選別機６０の外方はカバー７０で覆われていて、外部へ再説骨材が飛散するのを防止している。
回転選別機６０の下方には、カバー７０の一部を漏斗状に形成して捕集ホッパ７１〜７３を形成している。捕集ホッパ７１〜７３は各選別エリアＥ1〜Ｅ3で選別した再生骨材を区分けして捕集するためのものである。
【００２９】
＜３．３＞集塵機
集塵機８０は負圧吸引設備を具備していて、回転選別機６０内と集塵機８０との間を接続した配管８１を通じて回転選別機６０内に舞う微粉や粉塵等の浮遊物を吸引回収できるようになっている。
【００３０】
＜４＞供給系統
図１において、磨砕装置１０は、ホッパ１１から回転選別装置３０内へ原料Ａを供給する原料供給系統Ｌ1と、ホッパ１２からブラストロータ２０へ研磨粒Ｂを供給する研磨粒供給系統Ｌ2と、回転選別装置３０で選別した再生細骨材（再生砂）の一部を研磨粒Ｂとして研磨粒供給系統Ｌ2へ向けて供給する還流系統Ｌ3と、原料供給系統Ｌ1と研磨粒供給系統Ｌ2との間を切換可能にむすび、原料Ａの一部を研磨粒Ｂとして研磨粒供給系統Ｌ2へ向けて供給する初期研磨粒供給系統Ｌ4とを具備している。
【００３１】
＜４．１＞原料供給系統
原料供給系統Ｌ1はコンクリートガラを公知の破砕機で以って、例えば４０ｍｍ以下のサイズに破砕した破砕物を回転選別機３０内へ供給する系統である。
コンクリートガラの破砕物には再生骨材の原料となる粗骨材や細骨材を含んでいて、回転選別機３０内でブラストロータ２０からショットブラストされることで付着物が除去される。
【００３２】
＜４．２＞研磨粒の供給系統
研磨粒供給系統Ｌ2は、ホッパ１２からブラストロータ２０へ向けて連続的に研磨粒Ｂを供給する系統である。
【００３３】
初期研磨粒供給系統Ｌ4は、ホッパ１２内に研磨粒Ｂが貯留されていない磨砕装置１０の運転開始直後において、ホッパ１１内の原料Ａの一部を研磨粒Ｂとして研磨粒供給系統Ｌ2へ向けて暫定的に供給する系統であり、ホッパ１２内に所定量の研磨粒Ｂが貯留されたときは初期研磨粒供給系統Ｌ4を通じた研磨粒供給系統Ｌ2への原料Ａの供給を停止する。
【００３４】
＜４．３＞還流系統
還流系統Ｌ3は、回転選別機３０で選別した再生骨材のうち、一部を取り出してブラストロータ２０へ向けて研磨粒Ｂを供給する系統である。
回転選別機３０で選別した再生骨材のうち、研磨に適した再生細骨材（再生砂）の一部をホッパ１２へ還流し得るようになっている。
【００３５】
［再生骨材の生産方法］
つぎに再生骨材の生産方法について説明する。
【００３６】
＜１＞磨砕工程
図１において、原料供給系統Ｌ1を通じて、例えば４０ｍｍ以下に破砕した原料Ａを、磨砕装置１０を構成する回転選別機３０内の磨砕空間Ｓへ向けて供給を開始する。原料Ａの供給と並行して、研磨粒供給系統Ｌ2を通じてホッパ１２からブラストロータ２０へ向けて研磨粒Ｂの供給を開始する。
以下に原料Ａの付着物を除去して再生骨材Ｃを生産する方法について詳しく説明する。
【００３７】
＜１．１＞回転選別機における破砕物の選別滞留
図１，２において、回転選別機３０内へ供給された原料Ａは、ローラ３２の駆動を受けて一方向に回転する回転筒３１の回転力の影響を受けて、回転筒３１の内部で層状に広がって滞留する。
回転筒３１の回転に伴い、原料Ａ同士が転動する際に相互に衝突し合うことで、結束力の弱い一部の原料Ａが小さく分離する。
【００３８】
＜１．２＞研磨粒によるショットブラスト
図２において、研磨粒供給系統Ｌ2を通じて回転中のブラストロータ２０の中央部へ研磨粒Ｂを供給すると、研磨粒Ｂはブラストロータ２０の回転遠心力を受けてブラストロータ２０の側方から、回転筒３１内で層状に広がって滞留する原料Ａのすべての範囲（限定された効果的範囲θ）へ向けて高速で放出される。
【００３９】
回転筒３１内で転動する原料Ａへ向けて研磨粒Ｂが高速で吹き付けられることで、効率のよい破砕と磨砕が進行して、原料Ａから細粒再生骨材と粗粒再生骨材が生産される。
研磨粒Ｂによるショットブラストは、回転選別機３０の回転筒３１の内周面に沿って薄く広がった状態で滞留を続ける原料Ａの全体に対して行われるので、モルタル成分等の付着物を効率よく短時間に除去できる。
ショットブラスト時間は、原料Ａの磨砕状況を確認しながら、適宜選択する。
【００４０】
破壊されたモルタル成分や一部の細粒再生骨材、および研磨粒Ｂは、回転筒３１の周面を透過して自重で落下し、回転筒３１の周面の開口より大きいサイズの粗粒再生骨材は回転筒３１内に残留する。
【００４１】
図６の（ａ）〜（ｃ）は研磨粒Ｂによる磨砕作用を示すもので、原料Ａは砂利等の粗粒骨材ｃ１や砂等の細粒骨材ｃ２を含んでおり、この原料Ａに研磨粒Ｂが衝突すると、モルタル成分が壊れて小片に分離する。
研磨粒Ｂの磨砕作用により、分離した小片の表面に付着したモルタル成分等の付着物が効率よく短時間に除去されて、付着物のない粗粒骨材ｃ１や細粒骨材ｃ２が生産される。
【００４２】
原料Ａ同士を高速で衝突し合えば骨材そのものが破砕して小片化する確率が高くなるが、質量（径）の小さな研磨粒Ｂを質量（径）の大きな原料Ａに衝突させれば、再生骨材が必要以上に破砕されずに済む。
したがって、５ｍｍ以上の再生骨材（粗粒骨材ｃ１）の生産効率が向上するとともに、再生骨材の粉状化を回避して粉状廃棄物の大量発生の問題を回避できる。
【００４３】
＜２＞再生骨材の選別工程
図１および図５において、磨砕装置１０で磨砕して残留したすべての再生骨材を選別装置５０へ移動し、選別装置５０で以て再生骨材をサイズ毎に選別する。
本例では、選別装置５０で以て再生骨材を細粒サイズ（例えば１３ｍｍ〜５ｍｍ）、中粒サイズ（例えば２０ｍｍ〜１３ｍｍ）、および粗粒サイズ（例えば４０ｍｍ〜２０ｍｍ）の三種類に選別した形態を示す。
【００４４】
磨砕装置１０から選別装置５０へ再生骨材を移送する方法としては、磨砕装置１０を構成する回転筒３１の内周面にらせん状の羽根を形成しておき、バッチ毎に原料を磨砕した後、回転筒３１を逆転させて再生骨材を選別装置５０へ移送したり、磨砕装置１０と選別装置５０の間に介装した公知の各種コンベアを通じて搬送したりすることができる。
磨砕装置１０から選別装置５０へ再生骨材を搬送する手段は特に制限がない。
【００４５】
選別装置５０の回転筒６１内には、微粉や粉塵等の浮遊物が舞っている。
これらの浮遊物は、配管８１を通じて集塵機８０で吸引回収する。
【００４６】
＜３＞研磨粒の還流
図１において、磨砕装置１０で分離した５ｍｍ未満の再生骨材（再生砂）の一部は、還流系統Ｌ3を通じてホッパ１２へ還流して、継続的に研磨粒Ｂとして活用する。
再生骨材（再生砂）の一部を研磨粒Ｂとして活用することで、研磨粒Ｂそのものが磨かれて良質の再生骨材（再生砂）となる。
このように分離回収した再生骨材（再生砂）の一部をショット材として継続的に再利用できるため、専用の硬質ショット材を準備する必要がなくなり、しかも研磨粒Ｂが再生骨材（再生砂）そのものであるから、最終的に研磨粒Ｂだけを分離回収する必要がない。
【００４７】
［実施形態２］
前記実施形態１では、集塵機８０を選別装置５０に付設した形態について説明したが、集塵機８０を磨砕装置１０に付設して、磨砕装置１０を構成する回転選別機３０内に舞う微粉や粉塵等の浮遊物を吸引回収するようにしてもよい。
【００４８】
［実施形態３］
選別装置５０は、乾式に限定されず、湿式であってもよい。
選別装置５０を湿式とするには、例えば回転選別機６０の内部に公知の散水設備を追加配備して内部の粒状物質に散水したり、回転選別機６０の底部を冠水させて粒状物質を水に漬けたりする等の公知の方法による。
粒状物質の種類に応じて適宜乾式または湿式を使い分けする。
【００４９】
［実施形態４］
以上は粒状物質が骨材であり、骨材を含む原料から再生骨材を生産する形態について説明したが、粒状物質が汚染されたコンクリートガラや汚染土壌を対象とすることも可能である。
【００５０】
本実施形態においては、汚染されたコンクリートガラを公知の破砕機で以って所定のサイズ以下（例えば４０ｍｍ〜０ｍｍ）のサイズに破砕したものや、汚染土壌を原料Ａとして磨砕装置１０の回転選別装置３０内の磨砕空間Ｓへ向けて供給するとともに、ブラストロータ２０から磨砕空間Ｓ内へ研磨粒Ｂを高速で吹き付ける。
【００５１】
原料Ａとして汚染されたコンクリートガラや汚染土壌等の汚染された粒状物質を用いた場合、汚染された粒状物質に対して研磨粒Ｂをショットブラストすることで、粒状物質の表面の汚染物質が磨砕されて効率よく除染することができる。
粉塵と一体化した汚染物質は、密封構造の選別装置５０の空間内に浮遊することになるが、配管８１を通じて集塵機８０で吸引回収する。
【符号の説明】
【００５２】
Ｌ1・・・・・原料供給系統
Ｌ2・・・・・研磨粒供給系統
Ｌ3・・・・・還流系統
Ｌ4・・・・・初期研磨粒供給系統
Ａ・・・・・・原料
Ｂ・・・・・・研磨粒
１０・・・・・磨砕装置
１１・・・・・原料用のホッパ
１２・・・・・研磨粒用のホッパ
２０・・・・・ブラストロータ
２４・・・・・回転軸
２６・・・・・放出口
３０・・・・・回転選別機
３１・・・・・回転筒
３２・・・・・ローラ
４０・・・・・カバー
５０・・・・・選別装置
６０・・・・・回転選別機
６１・・・・・回転筒
６２・・・・・ローラ
７０・・・・・カバー
【図１】
2014041586.tif 000003
【図２】
2014041586.tif 000004
【図３】
2014041586.tif 000005
【図４】
2014041586.tif 000006
【図５】
2014041586.tif 000007
【図６】
2014041586.tif 000008
【手続補正書】
【提出日】平成26年1月8日(2014.1.8)
【手続補正１】
【補正対象書類名】特許請求の範囲
【補正対象項目名】全文
【補正方法】変更
【補正の内容】
【特許請求の範囲】
【請求項１】
粒状物質を含む原料から粒状物質を生産する粒状物質の磨砕装置であって、
回転による遠心力で研磨粒を放出するブラストロータと、
前記ブラストロータを回転可能に収容する回転選別機と、
前記回転選別機内へ粒状物質を含む原料を供給する原料供給系統と、
前記ブラストロータへ研磨粒を供給する研磨粒供給系統とを具備し、
前記ブラストロータが回転選別機内の限定された効果的範囲に位置する粒状物質を含む原料へ向けて研磨粒を放出し得るように、ブラストロータ内に案内した管の終端部の側面に下向きに形成した部分放出口を通じて、研磨粒をブラストロータ内に放出するように構成し、
前記回転選別機内に滞留する粒状物質の原料へ向けてブラストロータから研磨粒を放出してショットブラストすることを特徴とする、
粒状物質の磨砕装置。
【請求項２】
請求項１において、還流系統をさらに含み、該還流系統を通じて前記回転選別機で選別した粒状物質の一部を研磨粒として前記研磨粒供給系統へ供給することを特徴とする、粒状物質の磨砕装置。
【請求項３】
請求項１または２において、集塵機をさらに含み、該集塵機により回転選別機内に舞う微粉や粉塵等の浮遊物を吸引回収することを特徴とする、粒状物質の磨砕装置。
【請求項４】
（削除）
【請求項５】
粒状物質を含む原料から粒状物質を生産する粒状物質の生産プラントであって、
前記請求項１乃至請求項３の何れか一項に記載の粒状物質の磨砕装置に隣接して再生骨材の選別装置を配置したことを特徴とする、
粒状物質の生産プラント。
【請求項６】
請求項５において、前記選別装置が回転選別機であることを特徴とする、粒状物質の生産プラント。
【請求項７】
請求項５において、前記選別装置が集塵機をさらに含み、該集塵機により選別装置内に舞う微粉や粉塵等の浮遊物を吸引回収することを特徴とする、粒状物質の生産プラント。
【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
粒状物質を含む原料から粒状物質を生産する粒状物質の磨砕装置であって、
横向きの回転軸を中心に回転する遠心力で研磨粒を放出するブラストロータと、
横向きの仮想の回転軸を中心に回転し、前記ブラストロータを回転可能に収容する回転選別機と、
前記回転選別機内へ粒状物質を含む原料を供給する原料供給系統と、
前記ブラストロータへ研磨粒を供給する研磨粒供給系統とを具備し、
前記回転選別機内に滞留する粒状物質の原料へ向けてブラストロータから研磨粒を放出してショットブラストすると共に、前記回転選別機で磨砕した原料を選別することを特徴とする、
粒状物質の磨砕装置。
【請求項２】
請求項１において、還流系統をさらに含み、該還流系統を通じて前記回転選別機で選別した粒状物質の一部を研磨粒として前記研磨粒供給系統へ供給することを特徴とする、粒状物質の磨砕装置。
【請求項３】
請求項１または２において、集塵機をさらに含み、該集塵機により回転選別機内に舞う微粉や粉塵等の浮遊物を吸引回収することを特徴とする、粒状物質の磨砕装置。
【請求項４】
請求項１乃至３の何れか一項において、前記ブラストロータが回転選別機内の限定された効果的範囲に位置する粒状物質を含む原料へ向けて研磨粒を放出し得るように、ブラストロータ内に案内した管の終端部の側面に形成した部分放出口を通じて、研磨粒をブラストロータ内に放出するように構成したことを特徴とする、粒状物質の磨砕装置。
【請求項５】
粒状物質を含む原料から粒状物質を生産する粒状物質の生産プラントであって、
前記請求項１乃至請求項４の何れか一項に記載の粒状物質の磨砕装置に隣接して再生骨材の選別装置を配置したことを特徴とする、
粒状物質の生産プラント。
【請求項６】
請求項５において、前記選別装置が回転選別機であることを特徴とする、粒状物質の生産プラント。
【請求項７】
請求項５において、前記選別装置が集塵機をさらに含み、該集塵機により選別装置内に舞う微粉や粉塵等の浮遊物を吸引回収することを特徴とする、粒状物質の生産プラント。
【手続補正２】
【補正対象書類名】明細書
【補正対象項目名】０００８
【補正方法】変更
【補正の内容】
【０００８】
本発明は、粒状物質を含む原料から粒状物質を生産する粒状物質の磨砕装置であって、横向きの回転軸を中心に回転する遠心力で研磨粒を放出するブラストロータと、横向きの仮想の回転軸を中心に回転し、前記ブラストロータを回転可能に収容する回転選別機と、前記回転選別機内へ粒状物質を含む原料を供給する原料供給系統と、前記ブラストロータへ研磨粒を供給する研磨粒供給系統とを具備し、前記回転選別機内に滞留する粒状物質の原料へ向けてブラストロータから研磨粒を放出してショットブラストすると共に、前記回転選別機で磨砕した原料を選別することを特徴とする。
本発明では、還流系統をさらに含み、該還流系統を通じて前記回転選別機で選別した粒状物質の一部を研磨粒として前記研磨粒供給系統へ供給するように構成してもよい。
さらに本発明では、集塵機をさらに含み、該集塵機により回転選別機内に舞う微粉や粉塵等の浮遊物を吸引回収するように構成してもよい。
さらに本発明では、前記ブラストロータが回転選別機内の限定された効果的範囲に位置する粒状物質を含む原料へ向けて研磨粒を放出し得るように、ブラストロータ内に案内した管の終端部の側面に形成した部分放出口を通じて、研磨粒をブラストロータ内に放出するように構成してもよい。
さらに本発明は、粒状物質を含む原料から粒状物質を生産する粒状物質の生産プラントであって、前記した何れかの粒状物質の磨砕装置に隣接して再生骨材の選別装置を配置したことを特徴とする。
さらに本発明では、選別装置が集塵機をさらに含み、該集塵機により選別装置内に舞う微粉や粉塵等の浮遊物を吸引回収するように構成してもよい。
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
粒状物質を含む原料から粒状物質を生産する粒状物質の磨砕装置であって、
横向きの回転軸を中心に回転する遠心力で粒状物質と同質の研磨粒を放出するブラストロータと、
横向きの仮想の回転軸を中心に回転し、前記ブラストロータを回転可能に収容する回転選別機と、
前記回転選別機内へ粒状物質を含む原料を供給する原料供給系統と、
前記ブラストロータへ研磨粒を供給する研磨粒供給系統とを具備し、
前記回転選別機内に滞留する粒状物質の原料へ向けてブラストロータから研磨粒を放出してショットブラストすると共に、前記回転選別機で磨砕した原料を選別することを特徴とする、
粒状物質の磨砕装置。
【請求項２】
請求項１において、還流系統をさらに含み、該還流系統を通じて前記回転選別機で選別した粒状物質の一部を研磨粒として前記研磨粒供給系統へ供給することを特徴とする、粒状物質の磨砕装置。
【請求項３】
請求項１または２において、集塵機をさらに含み、該集塵機により回転選別機内に舞う微粉や粉塵等の浮遊物を吸引回収することを特徴とする、粒状物質の磨砕装置。
【請求項４】
請求項１乃至３の何れか一項において、前記ブラストロータが回転選別機内の限定された効果的範囲に位置する粒状物質を含む原料へ向けて研磨粒を放出し得るように、ブラストロータ内に案内した管の終端部の側面に形成した部分放出口を通じて、研磨粒をブラストロータ内に放出するように構成したことを特徴とする、粒状物質の磨砕装置。
【請求項５】
粒状物質を含む原料から粒状物質を生産する粒状物質の生産プラントであって、
前記請求項１乃至請求項４の何れか一項に記載の粒状物質の磨砕装置に隣接して再生骨材の選別装置を配置したことを特徴とする、
粒状物質の生産プラント。
【請求項６】
請求項５において、前記選別装置が回転選別機であることを特徴とする、粒状物質の生産プラント。
【請求項７】
請求項５において、前記選別装置が集塵機をさらに含み、該集塵機により選別装置内に舞う微粉や粉塵等の浮遊物を吸引回収することを特徴とする、粒状物質の生産プラント。
【手続補正２】
【補正対象書類名】明細書
【補正対象項目名】０００８
【補正方法】変更
【補正の内容】
【０００８】
本発明は、粒状物質を含む原料から粒状物質を生産する粒状物質の磨砕装置であって、横向きの回転軸を中心に回転する遠心力で粒状物質と同質の研磨粒を放出するブラストロータと、横向きの仮想の回転軸を中心に回転し、前記ブラストロータを回転可能に収容する回転選別機と、前記回転選別機内へ粒状物質を含む原料を供給する原料供給系統と、前記ブラストロータへ研磨粒を供給する研磨粒供給系統とを具備し、前記回転選別機内に滞留する粒状物質の原料へ向けてブラストロータから研磨粒を放出してショットブラストすると共に、前記回転選別機で磨砕した原料を選別することを特徴とする。
本発明では、還流系統をさらに含み、該還流系統を通じて前記回転選別機で選別した粒状物質の一部を研磨粒として前記研磨粒供給系統へ供給するように構成してもよい。
さらに本発明では、集塵機をさらに含み、該集塵機により回転選別機内に舞う微粉や粉塵等の浮遊物を吸引回収するように構成してもよい。
さらに本発明では、前記ブラストロータが回転選別機内の限定された効果的範囲に位置する粒状物質を含む原料へ向けて研磨粒を放出し得るように、ブラストロータ内に案内した管の終端部の側面に形成した部分放出口を通じて、研磨粒をブラストロータ内に放出するように構成してもよい。
さらに本発明は、粒状物質を含む原料から粒状物質を生産する粒状物質の生産プラントであって、前記した何れかの粒状物質の磨砕装置に隣接して再生骨材の選別装置を配置したことを特徴とする。
さらに本発明では、選別装置が集塵機をさらに含み、該集塵機により選別装置内に舞う微粉や粉塵等の浮遊物を吸引回収するように構成してもよい。
【国際調査報告】
2014041586.tif 000009
2014041586.tif 000010
2014041586.tif 000011
2014041586.tif 000012